(57)【特許請求の範囲】
【請求項１】
開閉自在な扉を有する充電装置の筐体内に充電コネクタ保持部を備え、収納時にこの充電コネクタ保持部に充電コネクタを保持させる充電コネクタの保持構造であって、前記充電コネクタ保持部は、前記充電コネクタの基端部を挿通させて保持する一対の腕部を備え、この腕部の少なくとも一方の上端に、前記充電コネクタ保持部に保持された充電コネクタの前方への回転を規制する回転規制部を設けたことを特徴とする充電コネクタの保持構造。
【請求項２】
前記一対の腕部は、それぞれ前方に延びる側面腕部を有し、前記回転規制部は、一方の側面腕部の上端を傾斜させて形成されることを特徴とする請求項１記載の充電コネクタの保持構造。
【請求項３】
前記一対の側面腕部の端部から、それぞれ内側に延びる前面腕部を形成するとともに、この一対の前面腕部間に、充電ケーブルを挿通可能な空間部を形成したことを特徴とする請求項２記載の充電コネクタの保持構造。
【請求項４】
前記充電コネクタの保持位置を規制する位置規制部を、他方の側面腕部の背面側上端から内側方向に延設して形成したことを特徴とする請求項２記載の充電コネクタの保持構造。
【請求項５】
前記回転規制部は、前記充電コネクタの把時部から先端側に向かって略く字状に折り曲げられた頭部を係止することを特徴とする請求項１記載の充電コネクタの保持構造。
【請求項６】
前記一対の腕部は、それぞれ前方に延びる側面腕部と、この一対の側面腕部の端部からそれぞれ内側に延びる前面腕部とを有し、前記回転規制部を前記前面腕部の上端に設けたことを特徴とする請求項５記載の充電コネクタの保持構造。
【請求項７】
前記一対の前面腕部の上端には、それぞれ同一方向に傾斜させ、かつ上端の位置を異なる高さとした傾斜部を形成したことを特徴とする請求項３または６記載の充電コネクタの保持構造。
【発明の詳細な説明】
【技術分野】
【０００１】
本発明は、自動車用の充電コネクタの保持構造に関するものである。
【背景技術】
【０００２】
自動車用の充電装置は、筐体に内蔵された給電手段と自動車（電気自動車やハイブリッドカー等の充電車両）とを通電する充電ケーブルを備えており、この充電ケーブルの先端には自動車側の接続部と接続される充電コネクタが設けられている。この充電コネクタを充電装置の筐体内で保持する技術としては、充電コネクタの基端部を筐体内に設けられた充電コネクタ保持部に保持させるものがある（特許文献１）。ここで、充電コネクタの基端部は充電コネクタ保持部に回転自在に保持されているため、筐体に開閉自在に設けられた扉を閉めることにより、充電コネクタの先端部が扉に押されて回転し、先端部が側方を向いた状態で収納されることとなる。
【０００３】
しかしながら、前記の構造では扉を開いた際に、自重によって充電コネクタの先端部が再び前方を向いてしまうことがあり、一定位置に固定することができないという問題があった。
【先行技術文献】
【特許文献】
【０００４】
【特許文献１】特開２０１５−０１５７８１号公報
【発明の概要】
【発明が解決しようとする課題】
【０００５】
本発明の目的は前記した従来の問題点を解決し、扉を開放した場合においても、充電コネクタの先端部が側方を向いた状態で保持される充電コネクタの保持構造を提供することである。
【課題を解決するための手段】
【０００６】
上記課題を解決するためになされた本発明は、開閉自在な扉を有する充電装置の筐体内に充電コネクタ保持部を備え、収納時にこの充電コネクタ保持部に充電コネクタを保持させる充電コネクタの保持構造であって、前記充電コネクタ保持部は、前記充電コネクタの基端部を挿通させて保持する一対の腕部を備え、この腕部の少なくとも一方の上端に、前記充電コネクタ保持部に保持された充電コネクタの前方への回転を規制する回転規制部を設けたことを特徴とするものである。
【０００７】
【０００８】
請求項２記載の発明は、請求項１記載の充電コネクタの保持構造において、前記一対の腕部は、それぞれ前方に延びる側面腕部を有し、前記回転規制部は、一方の側面腕部の上端を傾斜させて形成されることを特徴とするものである。
【０００９】
請求項３記載の発明は、請求項２記載の充電コネクタの保持構造において、前記一対の側面腕部の端部から、それぞれ内側に延びる前面腕部を形成するとともに、この一対の前面腕部間に、充電ケーブルを挿通可能な空間部を形成したことを特徴とするものである。
【００１０】
請求項４記載の発明は、請求項２記載の充電コネクタの保持構造において、前記充電コネクタの保持位置を規制する位置規制部を、他方の側面腕部の背面側上端から内側方向に延設して形成したことを特徴とするものである。
【００１１】
請求項５記載の発明は、請求項１記載の充電コネクタの保持構造において、前記回転規制部は、前記充電コネクタの把時部から先端側に向かって略く字状に折り曲げられた頭部を係止することを特徴とするものである。
【００１２】
請求項６記載の発明は、請求項５記載の充電コネクタの保持構造において、前記一対の腕部は、それぞれ前方に延びる側面腕部と、この一対の側面腕部の端部からそれぞれ内側に延びる前面腕部とを有し、前記回転規制部を前記前面腕部の上端に設けたことを特徴とするものである。
【００１３】
請求項７記載の発明は、請求項３または６記載の充電コネクタの保持構造において、前記一対の前面腕部の上端には、それぞれ同一方向に傾斜させ、かつ上端の位置を異なる高さとした傾斜部を形成したことを特徴とするものである。
【発明の効果】
【００１４】
本発明に係る充電コネクタの保持構造は、充電コネクタ保持部は、充電コネクタの基端部を挿通させて保持する一対の腕部を備え、この腕部の少なくとも一方の上端に、充電コネクタ保持部に保持された充電コネクタの前方への回転を規制する回転規制部を設けた。これにより、扉を開放した場合においても、回転規制部に充電コネクタが当接することで充電コネクタの前方への回転が規制されるため、充電コネクタの先端部が側方を向いた状態で保持されることとなる。
【００１５】
また請求項２に係る発明のように、一対の腕部は、それぞれ前方に延びる側面腕部を有し、回転規制部は、一方の側面腕部の上端を傾斜させて形成されるものとしても良い。このような構成とすれば、簡単な構造により充電コネクタの回転を規制することができるものとなる。
【００１６】
請求項３に係る発明のように、一対の側面腕部の端部から、それぞれ内側に延びる前面腕部を形成するとともに、この一対の前面腕部間に、充電ケーブルを挿通可能な空間部を形成しても良い。これにより、充電ケーブルを正面側から空間部に挿通することができるため、充電コネクタの収納時及び取外時の作業性が良いものとなる。
【００１７】
請求項４に係る発明のように、充電コネクタの保持位置を規制する位置規制部を、他方の側面腕部の背面側上端から内側方向に延設して形成することができ、これにより、位置規制部が充電コネクタの後側と当接することとなり、充電コネクタの先端部が前方に回転することをより確実に防止できるものとなる。
【００１８】
請求項５に係る発明のように、回転規制部は、充電コネクタの把時部から先端側に向かって略く字状に折り曲げられた頭部を係止するものとし、また請求項６に係る発明のように、一対の腕部は、それぞれ前方に延びる側面腕部と、この一対の側面腕部の端部からそれぞれ内側に延びる前面腕部とを有し、回転規制部を前面腕部の上端に設けることもできる。このような構成によっても、簡単な構造により充電コネクタの回転を規制することができるものとなる。
【００１９】
請求項７に係る発明のように、一対の前面腕部の上端には、それぞれ同一方向に傾斜させ、かつ上端の位置を異なる高さとした傾斜部を形成しても良く、これにより、充電コネクタの先端部が側方を向いた状態で収納されるように案内することができるものとなる。
【図面の簡単な説明】
【００２０】
【図１】第１の実施形態を示す斜視図である。
【図２】図１の要部拡大図である。
【図３】充電コネクタ保持部を示す斜視図である。
【図４】充電コネクタを収納した際の斜視図である。
【図５】第２の実施形態における充電コネクタ保持部を示す斜視図である。
【図６】第２の実施形態における充電コネクタを収納した際の斜視図である。
【図７】その他の実施形態を示す正面図である。
【発明を実施するための形態】
【００２１】
以下に本発明の好ましい実施形態を示す。なお、本明細書中における上下、左右、前後方向は図１に示す方向を指すものとする。
（第１の実施形態）
図１において、自動車用の充電装置は、筐体１に内蔵された給電手段と、図示しない自動車とを通電する充電ケーブル２を備えている。また、充電ケーブル２の先端には自動車側の接続部と接続される充電コネクタ３が設けられている。この充電コネクタ３は、図２に示すように、充電ケーブル２が接続される基部４及び作業者が握る把持部５とからなる基端部６、並びに把時部５から先端側に向かって略く字状に折り曲げられた頭部７及び自動車と接続される先端端子部８とからなる先端部９とを備える。なお、筐体１の前面側には、開閉自在な扉２０が取付けられている。
【００２２】
充電コネクタ３は、充電コネクタ保持部１０によりその先端部９が筐体１の側方（本実施形態においては右方向）を向いた状態で、筐体１内に保持される。このように充電コネクタ３の先端部９が側方を向いた状態で収納するものとすれば、筐体１の奥行幅が小さくなるため薄型化でき、駐車スペースを圧迫することを防止することができる。なお、前記把持部５は、頭部７側にかけて径大となるよう形成している。
【００２３】
図３のように、充電コネクタ保持部１０は背面側に取付部１１を有しており、この取付部１１によって図２に示すように配線カバー１２に取付けられる。また配線カバー１２の裏面側の空間には充電ケーブル２が配線され、端子台と接続している。
【００２４】
図３に示すように、充電コネクタ保持部１０は、充電コネクタ３の基端部６を挿通させるとともに、頭部７または把持部５の頭部７側を保持する左右一対の腕部１３を備えている。さらにこの腕部１３は、それぞれ前方に延びる側面腕部１４と、各側面腕部１４の端部から、それぞれ内側に延びる前面腕部１５とを有する。そして、右側の側面腕部１４の上端には、後方から前方にかけて高くなるよう傾斜させて形成した、充電コネクタ保持部１０に保持された充電コネクタ３の前方への回転を規制するための回転規制部１６を設けるものとした。
【００２５】
このように、腕部１３の少なくとも一方に回転規制部１６を設けることで、扉２０を開放した場合においても、回転規制部１６に充電コネクタ３が当接することで充電コネクタ３の回転が規制される。したがって、図４のように充電コネクタ３の先端部９が側方を向いた状態で保持されることとなる。また、この回転規制部１６は、一方の側面腕部１４の上端を傾斜させてなるものとしたことにより、簡単な構造により充電コネクタ３の回転を規制することができる効果を奏する。
【００２６】
図３のように、左右一対の前面腕部１５、１５間には、充電ケーブル２を挿通可能な空間部１７を形成した。これにより、充電ケーブル２を作業者側である正面側から空間部１７に挿通し、充電コネクタ３を充電ケーブル２が接続されている側から、すなわち上方から充電コネクタ保持部１０に保持させることができるため、充電コネクタ３の収納時及び取外時の作業性が良いものとなる。
【００２７】
図３のように、充電コネクタ３の保持位置を規制する板状の位置規制部１８を設けるものとした。この位置規制部１８は、左側の側面腕部１４の背面側上端から、内側方向に延設するよう折り曲げ形成されたものである。これにより、図４に示すように位置規制部１８が充電コネクタ３の後側と当接することとなり、充電コネクタ３の先端部９が前方に回転することをより確実に防止できるものとなる。
【００２８】
（第２の実施形態）
図５及び図６には第２の実施形態を示す。この実施形態は、左右の前面腕部１５、１５の上端に回転規制部１６を設けたものであり、この回転規制部１６に充電コネクタ３の頭部７が係止される構造である。このような構成によっても、簡単な構造により充電コネクタ３の回転を規制することができるものとなる。
【００２９】
なお、第２の実施形態では左右の前面腕部１５、１５の上端に回転規制部１６を設けているが、どちらか一方であっても差し支えない。斯かる場合は、充電コネクタ３の頭部７が折り曲げられた側（この実施形態においては右側）に回転規制部１６を設けることが好ましい。
【００３０】
（その他の実施形態）
図７のように、左右一対の前面腕部１５、１５の上端には、それぞれ同一方向に傾斜させ、かつ上端の位置を異なる高さとした傾斜部１９を形成しても良い。この傾斜部１９は、充電コネクタ３の頭部７が折り曲げられた側（この実施形態においては右側）の前面腕部１５が低くなるよう段差を持って形成されることが好ましい。これにより、充電コネクタ３を収納するときの方向に関わらず、充電コネクタ３を傾斜部１９上でスライド移動させて充電コネクタ３の先端部９が側方を向いた状態で収納されるように案内することができるものとなる。
【符号の説明】
【００３１】
１  筐体
２  充電ケーブル
３  充電コネクタ
４  基部
５  把持部
６  基端部
７  頭部
８  先端端子部
９  先端部
１０  充電コネクタ保持部
１１  取付部
１２  配線カバー
１３  腕部
１４  側面腕部
１５  前面腕部
１６  回転規制部
１７  空間部
１８  位置規制部
１９  傾斜部
２０  扉
【図１】
0006529333.tif 000002
【図２】
0006529333.tif 000003
【図３】
0006529333.tif 000004
【図４】
0006529333.tif 000005
【図５】
0006529333.tif 000006
【図６】
0006529333.tif 000007
【図７】
0006529333.tif 000008